(57)【要約】【課題】セキュリティデバイスが提供される。【解決手段】自己完結型のセキュリティデバイス１２．１は、センサ要素１３と、センサ要素に接続され、センサ要素からの信号に応答して侵入メッセージを生成するためのプロセッサ１４と、を含む。モノのインターネット送信機１６は、プロセッサ１４に接続され、モノのインターネットのネットワークによって提供されるモノのインターネット通信パスを介して侵入メッセージをクラウドベースのコントローラに送信する。【選択図】図１
2021508402.tif 000002
【特許請求の範囲】
【請求項１】
センサ要素と、
前記センサ要素に接続され、前記センサ要素からの信号に応答して第１のメッセージを生成するためのプロセッサと、
前記プロセッサに接続され、モノのインターネットのネットワークによって提供されるモノのインターネット通信パスを介して前記第１のメッセージをクラウドベースのコントローラに送信するモノのインターネット送信機と、
を備える、セキュリティデバイス。
【請求項２】
プロセッサに接続され、前記デバイスに関連付けられた一意の識別番号（ＩＤ）を格納し、前記ネットワークを介した通信での使用のためのメモリ構成を備える、請求項１に記載のセキュリティデバイス。
【請求項３】
前記センサ要素は、パッシブ赤外線センサ、ドアまたは窓用の接触センサ、光電ビーム、パニックボタンまたは他の操作可能なボタン、磁気ロックセンサ、ストライクロックセンサ、温度センサ、煙センサ、水または水分センサのうちのいずれか１つを備える、請求項２に記載のセキュリティデバイス。
【請求項４】
出力電圧を提供するローカル電源を備える、請求項１乃至３のいずれか１項に記載のセキュリティデバイス。
【請求項５】
前記プロセッサは、前記電源の現在の出力電圧に関するデータを前記第１のメッセージに組み込むように構成される、請求項４に記載のセキュリティデバイス。
【請求項６】
前記プロセッサに接続された位置決定デバイスを備える、請求項１乃至５のいずれか１項に記載のセキュリティデバイス。
【請求項７】
前記位置決定手段によって決定されるような位置データを前記第１のメッセージに組み込むように構成される、請求項６に記載のセキュリティデバイス。
【請求項８】
前記プロセッサに接続され、前記モノのインターネットのネットワークを介して前記クラウドベースのコントローラからの第２のメッセージを受信するためのＩｏＴ受信機を備える、請求項１乃至７のいずれか１項に記載のセキュリティデバイス。
【請求項９】
少なくとも前記センサ要素、プロセッサ、送信機及び電源は、単一の筐体に収容される、請求項４に記載のセキュリティデバイス。
【請求項１０】
前記筐体は、携帯可能である、請求項１１に記載のセキュリティデバイス。
【請求項１１】
セキュリティシステムであって、
センサ要素と、
前記センサ要素に接続され、前記センサ要素からの信号に応答して第１のメッセージを生成するためのプロセッサと、
前記プロセッサに接続され、モノのインターネット通信パスを介して前記第１のメッセージを送信するモノのインターネット送信機と、
前記モノのインターネット通信パスを介して前記少なくとも１つのセキュリティデバイスとデータ通信する前記セキュリティシステムのためのクラウドベースのコントローラと、
を備える少なくとも１つのセキュリティデバイスを備えるセキュリティシステム。
【請求項１２】
前記セキュリティシステムは、第１のユーザステーションに関連付けられ、前記少なくとも１つのセキュリティデバイスは、前記第１のユーザステーションに配備可能であり、前記クラウドベースのコントローラは、遠隔の中央バックエンドでホストされる、請求項１１に記載のセキュリティシステム。
【請求項１３】
端末は前記ユーザステーションに関連付けられ、前記端末は前記クラウドベースのコントローラと通信するように構成可能である、請求項１２に記載のセキュリティシステム。
【請求項１４】
複数の前記センサデバイスは、前記第１のユーザステーションでの分散された場所で配備可能である、請求項１２及び１３のいずれか１つに記載のセキュリティシステム。
【請求項１５】
ユーザステーションを保護する方法であって、前記方法は、
前記ユーザステーションに関連付けられたセキュリティシステムのためのクラウドベースのコントローラで、モノのインターネットのネットワークを介して侵入メッセージを前記ユーザステーションに位置付けられたセキュリティデバイスから受信するステップと、
前記コントローラに、前記コントローラに事前に格納された設定にしたがって、前記侵入メッセージに基づいて動作させるステップと、
を含む、方法。
【発明の詳細な説明】
【技術分野】
【０００１】
本発明は、ユーザステーションを保護するセキュリティデバイス、セキュリティシステム、および方法に関する。
【背景技術】
【０００２】
セキュリティシステムは一般に、住宅や商業施設などのユーザステーションで使用され、ステーションでの不正な侵入を検出し、通常は中央バックエンドで動作するセキュリティサービスプロバイダに警告し、それによってステーションの所有物を盗難から保護するとともに個人の保護を提供する。
【０００３】
既知のセキュリティシステムは、ステーションのローカルコントローラを利用する。コントローラは、ステーションに分散されている複数の侵入センサに接続されている複数の入力を備える。侵入センサの1つが侵入を感知すると、コントローラによってアラームが作動する。侵入メッセージは、ローカルコントローラによって、通常「チップアンドリング（tip and ring）」接続と呼ばれる接続を利用する従来の電話回線を介してユーザステーションからリモートの中央バックエンドに送信される。代替的には、モバイル通信用グローバルシステム（ＧＳＭ（登録商標））モデムを使用して、侵入メッセージをバックエンドに送信する。これらのＧＳＭモデムは侵入者によって妨害され、電話回線が危険にさらされる可能性がある。
【０００４】
さらに、これらのローカルコントローラ及び関連機器は、ユーザステーションに設置されてプログラムされる必要がある。この設置プロセスは技術的であり、したがって、設置を実行するには熟練した技術者または関連する専門家が一般に必要であり、これはユーザにとって不便であり、費用もかかる場合がある。
したがって、これらの既知のセキュリティシステムは、少なくとも一部のアプリケーションには適さない場合がある。
【０００５】
（発明の目的）
したがって、本発明の目的は、前述の問題が少なくとも軽減されるか、または前述の問題が既知のシステムおよび／またはデバイスに対して有用な代替案を提供し得ると出願人が信じる、ユーザステーションを保護するセキュリティデバイス、セキュリティシステム、および方法を提供することである。
【発明の概要】
【０００６】
本発明の第１の態様によると、
センサ要素と、
前記センサ要素に接続され、前記センサ要素からの信号に応答して第１のメッセージを生成するためのプロセッサと、
前記プロセッサに接続され、モノのインターネットのネットワークによって提供されるモノのインターネット通信パスを介して前記第１のメッセージをクラウドベースのコントローラに送信するモノのインターネット送信機と、
を備える少なくとも１つのセキュリティデバイスが提供される。
【０００７】
モノのインターネット（ＩｏＴ）は、当技術分野で知られており、モノのネットワークを含む。これらは通常、関連する電子機器、ソフトウェア、センサ、アクチュエータの少なくとも１つを備える。モノは全てネットワーク接続性を有し、互いにおよび／またはインターネット経由で中央のバックエンドと接続しデータを交換することができる。好ましくは、ＩｏＴネットワークの一部を形成するそれぞれのモノは、ＩｏＴネットワークにおいて一意的に識別可能である。ＩｏＴネットワークは、通常、ネットワーク専用のＩｏＴハイサイトを備える。
【０００８】
したがって、セキュリティデバイスには、ネットワークを介した通信での使用のための一意の識別番号（ＩＤ）を割り当てられ得る。
【０００９】
センサ要素は、ａ）たとえば、パッシブ赤外線センサ、ドアまたは窓用の接触センサ、光電ビーム、パニックボタンまたは他の操作可能なボタン、磁気ロックセンサ、ストライクロックセンサ（strike lock sensor）のうちのいずれか１つの侵入センサ（intrusion sensor）；及びｂ）温度センサ、煙センサ、水または水分センサ／検出器などの別のセンサ、のうちのいずれか１つを備え得る。これらのセンサは、通常は開いているか、または通常は閉じているセンサであり得る。
【００１０】
第１のメッセージは、侵入センサからの信号から得られたデータを含む侵入メッセージであり得る。代替的には、第１のメッセージは、温度センサ、煙センサ、水または湿度センサなどの他のセンサの少なくとも１つからの信号から得られたデータを含む警告メッセージであってもよい。
【００１１】
セキュリティデバイスは、出力電圧を提供する、好ましくは交換可能なバッテリの形態のローカル電源を備え得る。バッテリは充電式であってもよい。
電源は、好ましくはセキュリティデバイス専用であり、ローカルである。
【００１２】
プロセッサは、第１のメッセージに、電池の現在の出力電圧に関するデータを組み込むように構成され得る。
【００１３】
セキュリティデバイスは、位置決定デバイスを含み得る。
【００１４】
位置決定デバイスは、位置データを生成するように構成されることができ、プロセッサは、第１のメッセージに位置データを組み込むように構成されることができる。
【００１５】
セキュリティデバイスは、ＩｏＴネットワークを介してクラウドベースのコントローラから命令またはコマンドメッセージなどの第２のメッセージを受信するためのＩｏＴ受信機を備え得る。
【００１６】
ＩｏＴ送信機およびＩｏＴ受信機は、ＩｏＴトランシーバにおいて組み合わされ得る。
【００１７】
少なくともセンサ要素、プロセッサ、送信機および電源は、セキュリティデバイス用の単一の筐体に収容され得る。筐体は、セキュリティデバイス専用であり得る。好ましくは、センサ要素、プロセッサ、送信機、受信機、位置決定装置および電源のすべてが単一の筐体に収容される。
【００１８】
したがって、セキュリティデバイスは自己完結型（self-contained）であり、携帯可能であるかまたは異なる場所間で輸送可能である。
【００１９】
本発明の第２の態様によると、
センサ要素と、
前記センサ要素に接続され、前記センサ要素からの信号に応答して第１のメッセージを生成するためのプロセッサと、
前記プロセッサに接続され、モノのインターネット通信パスを介して前記第１のメッセージを送信するモノのインターネット送信機と、
前記モノのインターネット通信パスを介して前記少なくとも１つのセキュリティデバイスとデータ通信する前記セキュリティシステムのためのクラウドベースのコントローラと、
を備える少なくとも１つのセキュリティデバイスを備えるセキュリティシステムが提供される。
【００２０】
少なくとも１つのセキュリティデバイスは、上で定義されたとおりであり得る。
【００２１】
クラウドベースのコントローラは、従来のセキュリティシステムのローカルコントローラまたはコントロールボックスに従来関連付けられた制御機能の少なくともいくつかを実行するように構成され得る。
【００２２】
セキュリティシステムは、第１のユーザステーションに関連付けられることができ、少なくとも１つのセキュリティデバイスは、使用時に、第１のユーザステーションに配備（deploy）されることができ、クラウドベースのコントローラは、遠隔の中央バックエンドでホストされることができる。
【００２３】
クラウドベースのコントローラは、バックエンドの少なくとも1つのサーバでホスト（host）され得る。バックエンドは、単一の物理的な場所に収容（house）され得るか、複数の分散された物理的な場所に分散され得る。
【００２４】
セキュリティシステムは、第１のユーザステーションに関連付けられた端末を備えることができる。端末は、クラウドベースのコントローラと通信するように構成可能であり、クラウドベースのコントローラの設定を構成するようにユーザ操作可能であり得る。
【００２５】
端末は、プロセッサ、関連するメモリ構成およびディスプレイを備える、スマートフォンなどのモバイルデバイスの形であり得る。
【００２６】
システムは、メモリ構成に格納され、使用時に、クラウドベースのコントローラの設定を構成するまたはプログラムするためのＵＩを介して入力されたコマンドに応答して、端末のディスプレイ上にユーザインターフェース（ＵＩ）を提示するためにプロセッサによって実行されるコンピューターアプリケーションプログラム（アプリケーション）を含み得る。
【００２７】
システムは、第１のユーザステーションの分散した場所に配置され得る複数のセキュリティデバイスを含み得る。
【００２８】
複数のセキュリティデバイスのそれぞれは、その個々のＩｏＴ送信機またはトランシーバを介してクラウドベースのコントローラと通信するように独立して構成され得る。
【００２９】
さらに、複数のセキュリティデバイスのうちのいずれか１つは、その個々のＩｏＴ送信機またはトランシーバを介して、複数の他のセキュリティデバイスのうちの他の１つまたは複数と通信するように構成され得る。
【００３０】
バックエンドは、複数の分散ユーザステーションのそれぞれに対して個々のクラウドベースのコントローラをホストすることができる。それぞれの個々のクラウドベースのコントローラは、上で定義されたそれぞれのセキュリティシステムの一部を形成する。
【００３１】
バックエンドは、セキュリティデバイスの一意のＩＤに関連するデータを含む、ユーザステーションに関連するデータを含むデータベースを含み得る。
【００３２】
本発明の第３の態様によると、
ユーザステーションを保護する方法であって、
前記ユーザステーションに関連付けられたセキュリティシステムのためのクラウドベースのコントローラで、モノのインターネットのネットワークを介して侵入メッセージを前記ユーザステーションに位置付けられたセキュリティデバイスから受信するステップと、
前記コントローラに、前記コントローラに事前に格納された設定またはルールにしたがって前記侵入メッセージに基づいて動作させるステップと、
を備える方法が提供される。
【００３３】
本発明は、添付の図面を参照して、例示のみの目的でさらに記載されるであろう。
【図面の簡単な説明】
【００３４】
【図１】図１は、セキュリティシステムの例示的な実施形態のハイレベルブロック図である。
【図２】図２は、セキュリティシステムの一部を形成するセキュリティデバイスの例示的な実施形態のブロック図である。
【図３】図３は、セキュリティシステムの一部を形成するモバイルデバイス上で実行されるアプリケーションによって提示されるユーザインタフェース（ＵＩ）を概略的に示す図である。
【発明を実施するための形態】
【００３５】
セキュリティシステムの例示的な実施形態は、参照番号１０によって概して示される。自己完結型セキュリティデバイスの例示的な実施形態は、概して、図１および２において参照番号１２．１によって示される。
【００３６】
自己完結型セキュリティデバイス１２．１は、センサ要素１３と、センサ要素１３からの信号に応答して第１のメッセージを生成するためにセンサ要素１３に接続されたプロセッサ１４とを含む。モノのインターネット（ＩｏＴ）送信機１６は、ＩｏＴネットワークによって提供されるＩｏＴ通信パス１８を介してクラウドベースのコントローラ１９に第１のメッセージを送信するためにプロセッサ１４に接続される。クラウドベースのコントローラ１９は、好ましくは、リモートの中央バックエンド２０でホストされる。セキュリティデバイス１２．１は、ＩｏＴ受信機をさらに含む。ＩｏＴ送信機およびＩｏＴ受信機は、ＩｏＴトランシーバ１６において組み合わされ得る。
【００３７】
自己完結型セキュリティデバイス１２．１は、好ましくは出力電圧を提供する交換可能なバッテリ２２の形態のローカル電源を備える。バッテリ２２は充電式であってもよい。また、セキュリティデバイス１２．１は、位置データを生成するように構成された位置決定デバイス２４を備え、プロセッサ１４は、位置データを第１のメッセージに組み込むように構成される。
【００３８】
センサ要素１３は、ａ）受動型赤外線センサ、ドアまたは窓用の接触センサ、光電ビーム、パニックボタンまたは他の操作可能なボタン、磁気ロックセンサ、ストライクロックセンサなどの侵入センサと; b）温度センサ、煙センサ、水または湿度センサ／検出器などの別のセンサと、のいずれか１つを含み得る。これらのセンサは、通常開いているセンサまたは通常閉じているセンサであり得る。
【００３９】
第１のメッセージは、侵入センサからの信号に由来するデータを含む侵入メッセージであり得る。代替的には、第１のメッセージは、温度センサ、煙センサ、水または水分センサ等の少なくとも１つからの信号に由来するデータを含む警告メッセージであってもよい。
【００４０】
図１には、複数のセキュリティデバイス１２．１から１２．ｎを含むセキュリティシステム１０が示されている。セキュリティデバイス１２．１〜１２．ｎは互いに類似する。中央バックエンド２０は、ＩｏＴ通信パス１８およびインターネット２６を介して、セキュリティデバイス１２．１〜１２．ｎのそれぞれと個別に通信する。ＩｏＴ通信パス１８は、ＩｏＴネットワークスイッチ３０を介してインターネット２６に接続された少なくとも１つのＩｏＴハイサイト２８を含む。
【００４１】
ＩｏＴトランシーバ１６は、ＩｏＴ通信パス１８を介して第１のメッセージを送信する狭帯域タイプのトランシーバであることが好ましい。ＩｏＴ通信パス１８は、好ましくは、ＩｏＴネットワーク、例えば、それぞれ低電力広域ネットワーク（ＬＰＷＡＮ）を提供する「ＳＩＧＦＯＸ」（登録商標）または「ＬｏＲａＷＡＮ」（登録商標）の商標で販売されているネットワークの１つによって提供される。ＩｏＴネットワークスイッチ３０は、インターネット２６への接続を可能にし、ウェブサーバ（図示せず）は、インターネット２６とバックエンド２０との間の信号交換ステップを実行する。
【００４２】
セキュリティシステム１０は、第１のユーザステーション３２．１に関連付けられ、セキュリティデバイス１２．１から１２．ｎは、第１のユーザステーション３２．１の分散した場所に配備される。さらなるユーザステーション３２．２から３２．ｎのために、さらなる同様のセキュリティシステムが提供され得る。
【００４３】
クラウドベースのコントローラ１９は、好ましくは、リモートの中央バックエンド２０のサーバ３４上でホストされる。バックエンド２０は、単一の物理的な場所に収容されてもよく、または複数の分散された物理的な場所に分散されてもよい。バックエンド２０は、複数の分散型ユーザステーション３２．１〜３２．ｍのそれぞれにおける個々のセキュリティシステムに関連付けられた個々のクラウドベースのコントローラ１９．１〜１９．ｍをホストする。ユーザステーション３２．１から３２．ｍに関連付けられたシステムは類似しており、したがって、ユーザステーション３２．１に関連付けられたシステム１０のみを以下でさらに詳細に説明する。
【００４４】
セキュリティシステム１０は、第１のユーザステーション３２．１に関連付けられた端末をさらに含む。端末は、クラウドベースのコントローラ１９．１と通信するように構成可能である。端末は、インターネット２６を介してクラウドベースのコントローラ１９．１の設定を構成するようにユーザ操作可能である。端末は、好ましくは、ユーザ３８のモバイルデバイス３６の形態であり、モバイルデバイス３６は、プロセッサ、関連するメモリ構成およびディスプレイ（図３に示される）を備える。システム１０はさらに、モバイルデバイスのメモリ構成に格納され、使用中、クラウドベースのコントローラ１９．１の設定を構成するためにＵＩ４０を介して入力されたコマンドに応答して、端末のディスプレイ上にユーザインターフェース（ＵＩ）４０を提示するためにモバイルデバイスのプロセッサによって実行されるコンピュータアプリケーションプログラム（アプリケーション）を備える。したがって、ユーザ３８は、ＩｏＴ通信パス１８を介してセキュリティデバイス１２．１から１２．ｎを制御することが可能である。
【００４５】
複数のセキュリティデバイス１２．１から１２．ｎのうちのいずれか１つは、その個々のＩｏＴトランスミッタまたはトランシーバ１６を介して、ユーザステーション３２．１における他のセキュリティデバイス１２．１から１２．ｎのうちの複数と通信するように構成され得る。
【００４６】
図２に、セキュリティデバイス１２．１をさらに詳しく示す。位置決定デバイス２４は、好ましくは、全地球測位システム（ＧＰＳ）デバイスまたはロシアの全地球航法衛星システム（ＧＬＯＮＡＳＳ）デバイスまたは既知の方法で（図１に示される）衛星４２を利用するセキュリティデバイス１２．１の位置を決定するための他の位置決定デバイスの形態である。センサ素子１３、プロセッサ１４、送信機またはトランシーバ１６、位置決定装置２４および電源２２は、単一のセンサデバイスの（図２に示される）筐体４３に収容され得る。したがって、セキュリティデバイス１２．１は、自己完結型であり、ユーザステーション３２．１の異なる場所の間、またはユーザステーション３２．１から３２．ｍの間で携帯可能または輸送可能である。
【００４７】
プロセッサ１４は、位置データを侵入メッセージの形で第１のメッセージに組み込むように構成され、侵入メッセージは、ＩｏＴ通信パス１８を介してバックエンド２０に送信される。位置データは、侵入メッセージに繰り返し、または特定の所定の時間間隔でのみ組み込むことができる。時間間隔を決定する際に、クロック（図示せず）を利用することができる。代替的には、位置データは、いわゆる「ハートビートメッセージ」でＩｏＴトランシーバ１６によって、例えば１０分ごとに、または任意の他の適切な時間に送信されても??よい。「ハートビートメッセージ」はさらに、バッテリ２２の現在の出力電圧に関するデータと、ＩｏＴネットワーク１８上のデバイスを一意に識別するセキュリティデバイス１２．１の一意の識別（ＩＤ）番号４４に関するデータとを含み得る。セキュリティデバイス１２．１の一意のＩＤに関連するデータは、好ましくは、セキュリティデバイス１２．１に関連付けられたメモリ構成４６に事前に格納される。ユーザ３８は、例えば、モバイルデバイス３６上のアプリケーションを介して、セキュリティデバイス１２のうちの１つのバッテリ電圧が低いことを知らされ得る。
【００４８】
図３には、ユーザ３８のモバイルデバイス３６がより詳細に示されている。ユーザ３８は、アプリケーションにより、ユーザ３８のユーザステーション３２．１に関連付けられたセキュリティデバイス１２．１から１２．ｎのそれぞれをバックエンド２０で登録するように促される。
【００４９】
再び図１を参照すると、バックエンド２０は、サーバ３４によってホストされるクラウドベースのコントローラ１９．１を含む。バックエンド２０は、データベース４８も含む。モバイルデバイス３６上のＵＩ４０を介したユーザによる上記の登録は、ユーザ３８に関連するデータ、ユーザステーション３２．１に関連するデータ、およびバックエンド２０のデータベース４８で第１のユーザステーションの関連付けられたセキュリティデバイス１２．１から１２．ｎの一意のＩＤに関連するデータの入力および格納を含む。登録プロセスは、ユーザ３８がアプリケーションを介してユーザカウントにログインしたときに、バーコードや「ＱＲコード」（登録商標）などの各セキュリティデバイス１２．１〜１２．ｎに関連付けられたコードをスキャンすることを含み得る。複数のユーザ３８．１から３８．ｍが、それぞれのユーザステーション３２．１から３２．ｍについて、このようにしてバックエンド２０に登録されてもよいことが理解されよう。
【００５０】
使用中、ユーザ３８は、セキュリティデバイス１２．１から１２．ｎのうちの１つまたは複数を購入し、それらをユーザステーション３２．１でインストールし、それらをバックエンド２０に登録する。図３を参照すると、ユーザは、ＵＩ４０を介してクラウドベースのコントローラ１９．１の設定を構成することが可能である。したがって、ユーザ３８は、アプリケーションおよびＩｏＴ通信パス１８を介してセキュリティデバイス１２．１から１２.ｎを制御することが可能でなる。ユーザ３８は、ＵＩ４０を利用して、セキュリティデバイス１２のそれぞれに適切な名前、例えば、キッチン５０、寝室５２、ガレージ５４、私道５６などを割り当てることができる。また、ユーザ３８は、ＵＩ４０を介して、セキュリティデバイス１２．１から１２．ｎのそれぞれを個別にアクティブ化または非アクティブ化（バイパス）することが可能である。セキュリティデバイス１２．１から１２．ｎのいくつかは一緒にグループ化されてもよく、例えば、セキュリティデバイス１２．１から１２．３はキッチン５０に、セキュリティデバイス１２．４から１２．６は寝室５２などに割り当てられてもよい。ユーザは、ＵＩ４０上のボタン５８、６０および６２を使用して、上記で言及したユーザバイパス選択に従って、クラウドベースのコントローラ１９．１を、ユーザが選択可能なアーム（ARM）モード、ディスアーム（DISARM）モードおよびステイ（STAY）モードで動作させることができる。
【００５１】
また、バックエンド２０は、セキュリティデバイス１２．１から１２.ｎのうちの１つがアクティブ化されたとき、またはセキュリティデバイス１２．１がバックエンド２０のオペレータの地理的範囲領域の外にあることを示す位置データをＧＰＳデバイス２４が提供したときに、アプリケーションを介してユーザ３８に警告するように設定し得る。
【００５２】
本開示の範囲および趣旨から逸脱することなく、セキュリティデバイス、セキュリティシステム、および関連する方法に詳細に多くのバリエーションがあることが理解されよう。
【００５３】
システム１０は、セキュリティデバイス１２．１などのセキュリティデバイスの１つがＩｏＴネットワーク１８への接続が制限されているかまたは接続がない場合、複数の冗長性及び堅牢性を提供する。個々のデバイスは、侵入メッセージを他のセキュリティデバイス１２．２〜１２．ｎのうちの１つに送信することができる。次に、このデバイスは、侵入メッセージをＩｏＴ通信パス１８を介してバックエンド２０に転送する。
【００５４】
侵入メッセージの形の第１のメッセージとは別に、上記の他のセンサは、警告メッセージの形の最初の信号を生成するために使用され得る信号を出力し得る。例えば、給湯器（「ゲイザー（geyser）」とも呼ばれる）の漏れは、水検出器を利用して監視されてもよい。この場合、プロセッサ１４は、水漏れの場合に、ＩｏＴ通信パス１８を介してバックエンド２０に、検出された漏れおよび位置データに関するデータを含む警告または他のメッセージを送信するように構成され得る。これらの他のメッセージは、位置データの有無にかかわらず、他のセンサのいずれかに関連付けられたデータを含み得ることが理解されよう。
【００５５】
さらなる位置決定デバイス（図示せず）をモバイルデバイス３６に関連付けられ得る。システム１０は、モバイルデバイス３６が所定の地理的領域（「ジオフェンシング（geo-fencing）」と呼ばれることもある）内に位置するか、代替的にはその外に位置するときに、セキュリティデバイス１２．１から１２．ｎおよび／またはモードの１又は複数がクラウドベースのコントローラ１９．１によって自動的に有効または無効され得るように構成され得る。
【図１】
2021508402.tif 000003
【図２】
2021508402.tif 000004
【図３】
2021508402.tif 000005
【国際調査報告】
2021508402.tif 000006
2021508402.tif 000007
2021508402.tif 000008